(57)【要約】      （修正有）【課題】大きい寸法を有するファンの利用率を高めることができる固定装置を有する放熱装置を提供する。【解決手段】放熱装置は、放熱器１０と、周縁が放熱器１０の頂部から突出されるファン２０と、ファン２０を放熱器１０の頂部に固定するために用いられる固定装置３０と、を備え、固定装置３０は、放熱器１０に固定される固定ホルダー４０を備え、固定ホルダー４０の２つの相対して設置される辺から下に向かって放熱器１０の方向へ傾斜するように延在して２つの導風板４９を形成する。【選択図】図４
2010245540.tif 000002
【特許請求の範囲】
【請求項１】
放熱器と、
周縁が前記放熱器の頂部から突出されるファンと、
前記ファンを前記放熱器の頂部に固定するために用いられる固定装置と、
を備えてなる放熱装置であって、
前記固定装置は、前記放熱器に固定される固定ホルダーを備え、前記固定ホルダーの２つの相対して設置される辺から下に向かって前記放熱器の方向へ傾斜するように延在して２つの導風板を形成することを特徴とする放熱装置。
【請求項２】
前記放熱器は、底板と、前記底板から上に向かって垂直となるように延在する複数の放熱フィンと、を備え、前記２つの導風板は、前記放熱器の両側に近い２つの放熱フィンの外側まで延在することを特徴とする請求項１に記載の放熱装置。
【請求項３】
前記導風板には、導風孔が開設されることを特徴とする請求項２に記載の放熱装置。
【請求項４】
前記固定ホルダーの他の２つの相対して設置される辺からそれぞれ下に向かって延在して２つの連接シートを形成し、前記４つの連接シートは、前記放熱器の両側に近い２つの放熱フィンの４つの端面に固定されることを特徴とする請求項２に記載の放熱装置。
【請求項５】
前記放熱器の両側に近い２つの放熱フィンの頂端からそれぞれ上に向かって２つの分枝シートが延在され、前記放熱器の両側に近い２つの放熱フィンの前記分枝シートとの連接部の両端にそれぞれ１つの固定孔が形成され、ねじが前記４つの連接シートを貫いて前記放熱器の両側に近い２つの放熱フィンの４つの固定孔に螺合されることを特徴とする請求項４に記載の放熱装置。
【請求項６】
前記固定ホルダーの外周縁から上に向かって前記ファンの底部を収容するための折辺が延在されることを特徴とする請求項４に記載の放熱装置。
【請求項７】
前記固定装置は、前記ファンを前記固定ホルダーに固定する操作部材をさらに備え、前記操作部材は、前記固定ホルダーの１つの辺縁に回転可能に取り付けられる枢転部と、前記枢転部の一端に設置されて、前記枢転部を連動して回転する操作部と、を備えることを特徴とする請求項２に記載の放熱装置。
【請求項８】
前記ファンの各角にはフランジが形成され、前記枢転部は、前記ファンの片側のフランジを押圧する押圧位置と前記フランジから離れている自由位置との間で回転する押圧部を備え、前記固定ホルダーの他の１つの辺縁には、前記押圧部が押圧位置に位置する時に前記操作部を固定する位置限定部が設置されることを特徴とする請求項７に記載の放熱装置。
【請求項９】
前記固定ホルダーの枢転部が設置される辺縁に相対して設置される辺縁には、前記固定ホルダーの内側方向へ傾斜するように延在する少なくとも１つの当止シートが形成され、前記少なくとも１つの当止シートは、前記ファンの他側のフランジを当止することを特徴とする請求項８に記載の放熱装置。
【請求項１０】
前記固定ホルダーの１つの辺縁には、前記操作部材の枢転部を定位する第一定位シート及び第二定位シートが設置され、前記操作部材は、金属ロッドを何度も曲げて形成されることを特徴とする請求項９に記載の放熱装置。
【発明の詳細な説明】
【技術分野】
【０００１】
本発明は、放熱装置に関するものであって、特にファン固定装置を有する放熱装置に関するものである。
【背景技術】
【０００２】
周知のように、ＣＰＵ（中央処理装置）などの電子部品が作動する時に生じる熱が電子部品の作動に悪い影響をもたらす。従って前記電子部品の上に放熱装置を装着して前記電子部品を冷却しなければならない。
【０００３】
従来の放熱装置は、ＣＰＵ（中央処理装置）などの発熱電子部品の上に設置される放熱器と、前記放熱器の頂面に設置されるファンと、を備える。前記発熱電子部品からの熱量は前記放熱器に伝達され、前記ファンの作動によって生じる気流を利用して前記放熱器に伝送された熱量を周囲の空気に放熱することにより、前記発熱電子部品に対して放熱する。しかし、前記ファンを前記放熱器に安定に装着し、且つ前記ファンの作動によって生じる気流を十分に利用することも容易ではない。
【０００４】
ファンの回転速度が速ければ速いほど、ファン自身が生じる騒音も大きく、且つファンの作動による振動は放熱器の共振を招いて騒音を生じる。電子製品の発展に伴い、消費者が製品の静音に対する要求もだんだん高くなる。従来の技術において、一般的に寸法が大きく且つ回転速度が遅いファンで寸法が小さく且つ回転速度が速いファンを取り換えて、騒音を減少する。しかし、大きい寸法を有するファンを放熱器の頂部に固定し、且つファンの利用率を確保することは容易ではない。従来の固定架で大きい寸法を有するファンを放熱器に固定すると、ファンの周縁の大部分が放熱器の頂部から露出するため、該ファンの作動によって生じる気流の大部分を放熱器に吹き付けることができず、ファンの利用率を下げる。
【発明の概要】
【発明が解決しようとする課題】
【０００５】
本発明の目的は、前記課題を解決し、大きい寸法を有するファンの利用率を高めることができる固定装置を有する放熱装置を提供することである。
【課題を解決するための手段】
【０００６】
本発明に係る放熱装置は、放熱器と、周縁が前記放熱器の頂部から突出されるファンと、前記ファンを前記放熱器の頂部に固定するために用いられる固定装置と、を備え、前記固定装置は、前記放熱器に固定される固定ホルダーを備え、前記固定ホルダーの２つの相対して設置される辺から下に向かって前記放熱器の方向へ傾斜するように延在して２つの導風板を形成する。
【発明の効果】
【０００７】
本発明の放熱装置において、固定装置の導風板は、放熱器の頂部を超過するファンの周縁部分が生じる気流を前記放熱器にガイドするため、前記ファンの作動によって生じる気流を浪費しなくなり、前記ファンの利用率を高める。前記導風板を有する固定装置は、寸法が大きく且つ回転速度が遅いファンを前記放熱器に固定して、前記放熱装置の放熱効率を確保するとともに、騒音を下げることができる。
【図面の簡単な説明】
【０００８】
【図１】本発明の実施形態に係る放熱装置の立体組立図である。
【図２】図１に示す放熱装置の立体分解図である。
【図３】図１に示す放熱装置の予備組立図ある。
【図４】図１に示す放熱装置の正面図である。
【発明を実施するための形態】
【０００９】
以下、図面を参照して、本発明の実施形態について説明する。
【００１０】
図１及び図２を参照すると、本発明の実施形態に係る放熱装置は、放熱器１０と、ファン２０と、前記ファン２０を前記放熱器１０の頂部に固定するために用いられる固定装置３０と、を備える。
【００１１】
前記放熱器１０は、優れた導熱性能を有する金属材料から一体成型され、底板１２と、前記底板１２から上に向かって垂直となるように延在する複数の放熱フィン１４と、を備える。前記底板１２は、矩形であって、その底面は発熱電子部品に接触し、前記底板１２の四角から外に向かってそれぞれ１つの固定部１２０が突出されており、４つの固定部品１００が別々に前記４つの固定部１２０を貫いて前記発熱電子部品に固定されるため、前記放熱器１０は前記発熱電子部品に固定される。前記放熱器１０の右側から数えて第二位置に位置する放熱フィン１４の頂端から上に向かって２つの分枝シート１６が延在され、前記２つの分枝シート１６は、互いに離間して設置され且つ前記放熱フィン１４に平行し、前記２つの分枝シート１６と前記放熱器１０の右側から数えて第二位置に位置する放熱フィン１４との連接部の両端にそれぞれ１つの固定孔１８が形成される。前記放熱器１０の左側から数えて第二位置に位置する放熱フィン１４の頂端から上に向かって２つの分枝シート１７が延在され、前記２つの分枝シート１７は、互いに離間して設置され且つ前記放熱フィン１４に平行し、前記２つの分枝シート１７と前記放熱器１０の左側から数えて第二位置に位置する放熱フィン１４との連接部の両端にそれぞれ１つの固定孔１９が形成される。前記２つの固定孔１８及び前記２つの固定孔１９は、４つのねじ２００を螺合することに用いられ、従って前記固定装置３０を前記放熱器１０に固定する。
【００１２】
前記ファン２０の寸法は、前記放熱器１０の頂部の寸法より大きいため、前記ファン２０の周縁は前記放熱器１０の四周から突出される。前記ファン２０は、矩形のフレーム２２を備える。前記フレーム２２の四角には、それぞれ上下方向で離間し且つ互いに平行する２つのフランジ２４が形成されており、且つ下部に位置するフランジ２４は前記フレーム２２の底面と同じ平面に位置する。
【００１３】
前記固定装置３０は、固定ホルダー４０及び該固定ホルダー４０に回転可能に取り付けられる２つの操作部材５０を備える。前記固定ホルダー４０は、略矩形板状であって、その中央部には、前記ファン２０の作動によって生じる気流を通過させる貫通孔４１０が開設される。前記固定ホルダー４０の貫通孔４１０の四周には、水平方向に沿って延在する４つの辺４２、４３、４４、４５が形成されている。前記４つの辺４２、４３、４４、４５の前記貫通孔４１０から背離する辺縁が別々に上に向かって垂直となるように延在して折辺４２０、４３０、４４０、４５０を形成する。前記辺４３の内縁の両端から別々に下に向かって延在して固定孔４８０を有する２つの連接シート４８を形成する。前記辺４３に対向して設置される辺４５の内縁の両端から別々に下に向かって延在して固定孔４８０を有する２つの連接シート４８を形成する。前記４つのねじ２００は、前記４つの連接シート４８の４つの固定孔４８０を貫いてから前記放熱器１０の４つの固定孔１８、１９に螺合することにより、前記固定ホルダー４０を前記放熱器１０に固定する。前記折辺４３０の上縁の両側から別々に上に向かって且つ前記固定ホルダー４０の内側方向へ傾斜するように延在して２つの当止シート４３１を形成し、前記２つの当止シート４３１は、前記ファン３０の片側における２つの下部に位置するフランジ２４を当止して、前記ファン３０の前記２つの当止シート４３１に近い片側が前記固定ホルダー４０から抜け出さないようにする。前記辺４５の外縁の両端から別々に上に向かって延在して２つの第一定位シート４５１を形成する。前記折辺４５０の上縁の両側から別々に前記固定ホルダー４０の内側方向へ水平となるように延在して２つの第二定位シート４５２を形成する。前記２つの第二定位シート４５２は、前記２つの第一定位シート４５１の間に位置する。前記折辺４２０、４４０には、それぞれ１つの位置限定部４６及び１つの枢着孔４７が設置される。本実施形態において、前記位置限定部４６は、位置限定フックであるが、これに限定されるものではない。前記折辺４２０の枢着孔４７は、前記辺４５の右側に位置する第一定位シート４５１に隣り合う。前記折辺４４０枢着孔４７は、前記辺４５の左側に位置する第一定位シート４５１に隣り合う。
【００１４】
前記２つの対向して設置される辺４２、４４の内縁から下に向かって前記固定ホルダー４０の内側方向へ傾斜するように延在して２つの導風板４９を形成する。前記導風板４９には、前記ファン２０の作動によって生じる気流を前記放熱器１０の周囲へガイドして前記放熱器１０周囲の電子素子（図示せず）に対して放熱するための導風孔４９０が開設される。
【００１５】
前記操作部材５０は、金属ロッドを何度も曲げて形成され、枢転部５１及び該枢転部５１の一端から垂直方向に延在する操作部５２を備える。前記枢転部５１は、互いに離間しているが同じ直線に位置する２つの枢軸部５１０と、前記２つの枢軸部５１０の向かい合う一端からそれぞれ垂直方向に延在して形成され且つ互いに平行する２つの連接部５１２と、Ｕ字状の押圧部５１４と、を備え、前記連接部５１２の両端は前記枢軸部５１０の一端と前記押圧部５１４の一端との間に連接される。水平面を基準とすると、前記２つの連接部５１２の所在平面が水平面と直交する場合、前記押圧部５１４の所在平面は水平面に平行であり、前記操作部５２の所在平面と水平面との間の夾角は略４５度である。
【００１６】
図１、図３及び図４を参照すると、本発明の放熱装置を組み立てる場合、先ず、前記固定装置３０の固定ホルダー４０を前記放熱器１０の頂面に放置して、前記固定ホルダー４０の４つの連接シート４８の４つの固定孔４８０を別々に前記放熱器１０の４つの固定孔１８、１９に対応させて、ねじ２００で前記連接シート４８の固定孔４８０を貫いてから前記放熱器１０の固定孔１８、１９に螺合することにより、前記固定ホルダー４０を前記放熱器１０の頂面に安定的に固定する。この時、前記２つの導風板４９の底端縁は、別々に前記２つの分枝シート１６と前記放熱器１０の右側から数えて第二位置に位置する放熱フィン１４との連接部及び前記２つの分枝シート１７と前記放熱器１０の左側から数えて第二位置に位置する放熱フィン１４との連接部に当接する。他の実施形態において、前記２つの導風板４９の底端縁は、別々に前記放熱器１０の右側から数えて第一位置に位置する放熱フィン１４の外側面及び前記放熱器１０の左側から数えて第一位置に位置する放熱フィン１４の外側面に当接することもできる。
【００１７】
続いて前記２つの操作部材５０を前記固定ホルダー４０に取り付ける。１つの操作部材５０の枢転部５１の２つの枢軸部５１０のうちの一方は、前記折辺４５０の左側に位置する第二定位シート４５２と前記辺４５の上表面との間の隙間に収容され、他方の枢軸部５１０は、前記折辺４４０の枢着孔４７に収容され且つ前記辺４５の左端に位置する第一定位シート４５１の内面に当接して、前記枢転部５１の押圧部５１４は、前記辺４５の左端に位置する第一定位シート４５１と前記折辺４５０の左側に位置する第二定位シート４５２との間に位置する。もう１つの操作部材５０の枢転部５１の２つの枢軸部５１０のうちの一方は、前記折辺４５０の右側に位置する第二定位シート４５２と前記辺４５の上表面との間の隙間に収容され、他方の枢軸部５１０は、前記折辺４２０枢着孔４７に収容され且つ前記辺４５の右端に位置する第一定位シート４５１の内面に当接して、前記枢転部５１の押圧部５１４は、前記辺４５の右端に位置する第一定位シート４５１と前記折辺４５０の右側に位置する第二定位シート４５２との間に位置する。
【００１８】
次に、前記ファン２０を前記固定ホルダー４０に固定する。前記ファン２０を固定する前に、前記２つの操作部材５０の２つの操作部５２を反時計方向へ移動して、前記２つの操作部材５０の２つの押圧部５１４を、前記固定ホルダー４０から離れている自由位置に位置させる。前記ファン２０を前記固定ホルダー４０の貫通孔４１０の四周の辺４２、４３、４４、４５の上に放置して、前記固定ホルダー４０の２つの当止シート４３１によって、前記ファン３０の片側における２つの下部に位置するフランジ２４を当止する。前記２つの操作部材５０の２つの操作部５２を時計方向へ移動して、前記操作部５２と前記辺４５との間の夾角が略４５度になる時、前記２つの操作部材５０の２つの押圧部５１４は前記ファン１０の他側における２つの下部に位置するフランジ２４に接触する。前記２つの操作部材５０の２つの操作部５２を時計方向へ続いて移動して、前記操作部５２を水平位置に位置させるとともに前記位置限定部４６内に係合させる。この時、前記２つの操作部材５０の２つの押圧部５１４は前記ファン１０の他側における２つの下部に位置するフランジ２４を押圧して、前記ファン２０を前記固定装置３０に安定的に固定する。
【００１９】
前記放熱装置を取り外す場合、前記操作部材５０の２つの操作部５２を前記位置限定部４６から退避させてから、反時計方向へ前記操作部５２を回転すると、前記ファン２０を前記固定装置３０から取り外すことができる。
【００２０】
前記放熱装置を使う時、前記導風板４９は、前記ファン２０における前記放熱器１０の頂部を超過する周縁部分が生じる気流を前記放熱器１０にガイドするため、前記ファン２０の作動によって生じる気流を浪費しなくなり、前記ファン２０の利用率を高める。前記導風板４９を有する固定装置３０は、寸法が大きく且つ回転速度が遅いファン２０を前記放熱器１０に固定して、前記放熱装置の放熱効率を確保するとともに、騒音を下げることができる。
【００２１】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００２２】
１０  放熱器
１２  底板
１４  放熱フィン
１６，１７  分枝シート
１８，１９，４８０  固定孔
２０  ファン
２２  フレーム
２４  フランジ
３０  固定装置
４０  固定ホルダー
４２，４３，４４，４５  辺
４６  位置限定部
４７  枢着孔
４８  連接シート
４９  導風板
５０  操作部材
５１  枢転部
５２  操作部
１００  固定部品
１２０  固定部
２００  ねじ
４１０  貫通孔
４２０，４３０，４４０，４５０  折辺
４３１  当止シート
４５１  第一定位シート
４５２  第二定位シート
４９０  導風孔
５１０  枢軸部
５１２  連接部
５１４  押圧部
【図１】
2010245540.tif 000003
【図２】
2010245540.tif 000004
【図３】
2010245540.tif 000005
【図４】
2010245540.tif 000006